(57)【要約】      （修正有）【課題】電線の芯線を確実かつ容易に接続することができると共に、小型で薄型化され、しかも接触が安定する接続端子を提供する。【解決手段】 端部に固定接続用のねじ孔８を備えた平板状のベース部１と、前記ベース部１より略直角に折り返し曲げられた折り返し部２と、前記折り返し部２より先端が前記ベース部に当接するように曲げられた弾性支持部３と、からなり、前記折り返し部３には電線１０の貫通孔５が形成され、前記弾性支持部３の先端は前記電線１０に押圧接触する弾性接触片４が形成され、機器にねじで固定接続する構成とした。【選択図】図２
0003113675.tif 000002
【実用新案登録請求の範囲】
【請求項１】
端部に固定接続用のねじ孔を備えた平板状のベース部と、前記ベース部より略直角に折り返し曲げられた折り返し部と、前記折り返し部より先端が前記ベース部に当接するように曲げられた弾性支持部と、からなり、
前記折り返し部には電線の貫通孔が形成され、前記弾性支持部の先端は前記電線に押圧接触する弾性接触片が形成されており、電気機器の電線固着ねじによって固定接続できることを特徴とする接続端子。
【請求項２】
端部に固定接続用のねじ孔を備えた平板状のベース部と、前記ベース部より略直角に折り返し曲げられた折り返し部と、前記折り返し部より先端が前記ベース部に当接するように曲げられた弾性支持部と、からなり、
前記ベース部には前記電線のガイド溝が形成され、前記折り返し部には電線の貫通孔が形成され、前記弾性支持部の先端は前記電線に押圧接触する弾性接触片が形成され、電気機器の電線固着ねじによって固定接続できることを特徴とする接続端子。
【請求項３】
端部に固定接続用のねじ孔を備えた平板状のベース部と、前記ベース部より略直角に折り返し曲げられた折り返し部と、前記折り返し部より先端が前記ベース部に当接するように曲げられた弾性支持部と、からなり、
前記ベース部には前記電線のガイド溝が形成され、前記折り返し部には電線の貫通孔が形成され、前記弾性支持部の先端は前記電線に押圧接触する弾性接触片が形成され、前記弾性接触片には前記電線の挿入凹部が形成され、電気機器の電線固着ねじによって固定接続できることを特徴とする接続端子。
【請求項４】
端部に固定接続用のねじ孔を備えた平板状のベース部と、前記ベース部より略直角に折り返し曲げられた折り返し部と、前記折り返し部より先端が前記ベース部に当接するように曲げられた弾性支持部と、からなり、
前記ベース部には前記電線のガイド溝が形成され、前記折り返し部には電線の貫通孔が形成され、前記弾性支持部の先端は前記電線に押圧接触する弾性接触片が形成され、前記弾性接触片には前記電線の挿入凹部が形成され、
前記電線のガイド溝は前記ベース部の表側に形成された２本のリブであり、前記弾性接触片の先端部は上方に折り曲げられ、電気機器の電線固着ねじによって固定接続できることを特徴とする接続端子。
【請求項５】
厚さ１．６ｍｍのリン青銅材料から平板状に形成され、端部に固定接続用のねじ孔を備えた平板状のベース部と、前記ベース部より略直角に折り返し曲げられ高さが４．３ｍｍに形成された折り返し部と、前記折り返し部より先端が前記ベース部に当接するように曲げられ長さが９ｍｍに形成された弾性支持部と、からなり、
前記ベース部には前記電線のガイド溝が形成され、前記折り返し部には電線の貫通孔が形成され、前記弾性支持部の先端は前記電線に押圧接触する弾性接触片が形成され、前記弾性接触片には深さが０．８ｍｍの挿入凹部が形成され、
前記電線のガイド溝は前記ベース部の表側に形成された高さが０．４ｍｍの２本のリブであり、前記弾性接触片の先端部は上方に折り曲げられていることを特徴とする接続端子。
【考案の詳細な説明】
【技術分野】
【０００１】
本考案は、電線と電子機器等を接続するために取り付けられた接続端子に関し、特に、機器類に固定することができる接続端子に関する。
【背景技術】
【０００２】
従来、各種の電製品と電線を接続したり、各種の電子機器とリード線等を接続する場合に、半田付けを使用しないで接続するものとして接続端子がある。この接続端子は、機器側に取り付けられた接続端子のバネ性を利用して簡単に固定接続するものである。この種の接続端子として、特開平１０−３２１２７０号公報に示す接続端子や特開２００１−５２７７４号公報に示す電線接続装置などがあった。
【０００３】
特開平１０−３２１２７０号公報に示す接続端子は、導通板部分を含み、該導通板部分に隣接する係止部分を含み、前記導通板部分と係止部分を繋ぐ繋ぎ部分を含む速結端子金具を備え、前記速結端子金具を納める端子カバーを備え、前記繋ぎ部分に前記外部導体の進入を許容する開口部を形成し、前記繋ぎ部分に前記係止部分の弾性変位を許容するばね部分を形成し、前記開口部を介して挿入された外部導体が前記導通板部分に添い、その状態で前記係止部分が前記外部導体に食い込み、かつ該外部導体を押して前記導通板へ圧接させる放電灯安定器用端子装置において、前記係止部分の先端が前記外部導体の挿入前の側から前記開口部に進入するように前記速結端子金具の形状を定めたことを特徴としたもので、放電灯本体に埋設する端子部である。
【０００４】
また、特開２００１−５２７７４号公報に示す電線接続装置は、一面が電線当接面となった導電片を有し、この導電片の端部から電線当接面側へ折曲されて基部に前記電線当接面に臨む電線挿入孔が設けられた折曲片を有し、この折曲片の先端から前記電線当接面へ向かって折曲されて先端と前記電線当接面との間に前記電線挿入孔から挿入された電線を挟持抜止めする鎖錠片を有する端子金具と、この端子金具を収納する端子収納部を有し前記電線挿入孔に整合する電線挿入孔を有する絶縁性の端子カバーと、前記電線が前記鎖錠片に対して引き抜くことができる程度に、前記折曲片と前記鎖錠片の曲げ部の近傍を前記電線の挿入方向と反対向きに弾性変形させる解除用具とを備え、前記端子カバーは、前記電線挿入孔を有する壁面の内面に前記解除操作具により押された前記曲げ部の近傍を移動させるスペースを設けたもので、機器類本体内に嵌装する端子である。
【特許文献１】特開平１０−３２１２７０号公報
【特許文献２】特開２００１−５２７７４号公報
【考案の開示】
【考案が解決しようとする課題】
【０００５】
しかしながら、上述した特許文献１の接続端子にあっては、放電灯の本体に埋設する端子部であって、速結端子金具の背丈が高く、さらに端子カバーが取り付けられているので、放電灯のように、比較的大きい電気製品に使用することはできるが、最近の電子機器のような小型化され、薄型が求められるような電子機器には使用できないという問題があった。また、特許文献２においても、同様な問題があり、さらに解除を主眼としているため、接触の安定性には配慮されておらず、端子金具と電線の接触は点接触で行っており、接触が不安定になる慮れがあった。これら従来の端子部は機器類本体内埋設したものであって容易に交換できるものではなかった。
【０００６】
本考案は、上述した従来の問題に鑑みなされたもので、電線の芯線を確実かつ容易に接続することができると共に、小型で薄型化され、しかも接触が安定するもので、尚且つ電線接続に電線固着ねじしか備えていない機器にはそのねじを利用して取付けることにより、簡易に接続が可能となる接続端子を提供するものである。
【課題を解決するための手段】
【０００７】
本考案は、上記課題を解決するため、端部に固定接続用のねじ孔を備えた平板状のベース部と、前記ベース部より略直角に折り返し曲げられた折り返し部と、前記折り返し部より先端が前記ベース部に当接するように曲げられた弾性支持部と、からなり、前記折り返し部には電線の貫通孔が形成され、前記弾性支持部の先端は前記電線に押圧接触する弾性接触片が形成され、電気機器の電線固着ねじによって固定接続できることを特徴とする接続端子である。
【０００８】
また、本考案は、端部に固定接続用のねじ孔を備えた平板状のベース部と、前記ベース部より略直角に折り返し曲げられた折り返し部と、前記折り返し部より先端が前記ベース部に当接するように曲げられた弾性支持部と、からなり、前記ベース部には前記電線のガイド溝が形成され、前記折り返し部には電線の貫通孔が形成され、前記弾性支持部の先端は前記電線に押圧接触する弾性接触片が形成され、機器類の電線固着部にねじによって前記ベース部を固定接続する接続端子としている。
【０００９】
また、本考案は、端部に固定接続用のねじ孔を備えた平板状のベース部と、前記ベース部より略直角に折り返し曲げられた折り返し部と、前記折り返し部より先端が前記ベース部に当接するように曲げられた弾性支持部と、からなり、前記ベース部には前記電線のガイド溝が形成され、前記折り返し部には電線の貫通孔が形成され、前記弾性支持部の先端は前記電線に押圧接触する弾性接触片が形成され、前記弾性接触片には前記電線の挿入凹部が形成され、電気機器の電線固着ねじによって固定接続できることを特徴としている。
【００１０】
また、本考案は、端部に固定接続用のねじ孔を備えた平板状のベース部と、前記ベース部より略直角に折り返し曲げられた折り返し部と、前記折り返し部より先端が前記ベース部に当接するように曲げられた弾性支持部と、からなり、前記ベース部には前記電線のガイド溝が形成され、前記折り返し部には電線の貫通孔が形成され、前記弾性支持部の先端は前記電線に押圧接触する弾性接触片が形成され、前記弾性接触片には前記電線の挿入凹部が形成され、前記電線のガイド溝は前記ベース部の表側に形成された２本のリブであり、前記弾性接触片の先端部は上方に折り曲げられていることを特徴とするものである。
【００１１】
さらに、本考案は、厚さ０．６ｍｍのリン青銅の材料から形成され、端部に固定接続用のねじ孔を備えた平板状のベース部と、前記ベース部より略直角に折り返し曲げられ高さが４．３ｍｍに形成された折り返し部と、前記折り返し部より先端が前記ベース部に当接するように曲げられ長さが９ｍｍに形成された弾性支持部と、からなり、前記ベース部には前記電線のガイド溝が形成され、前記折り返し部には電線の貫通孔が形成され、前記弾性支持部の先端は前記電線に押圧接触する弾性接触片が形成され、前記弾性接触片には深さが０．８ｍｍの挿入凹部が形成され、前記電線のガイド溝は前記ベース部の表側に形成された高さが０．４ｍｍの２本のリブであり、前記弾性接触片の先端部は上方に折り曲げられていることを特徴とするものである。
【考案の効果】
【００１２】
本考案の請求項１に記載の接続端子によれば、端部に固定接続用のねじ孔を備えた平板状のベース部と、前記ベース部より略直角に折り返し曲げられた折り返し部と、前記折り返し部より先端が前記ベース部に当接するように曲げられた弾性支持部と、からなり、前記折り返し部には電線の貫通孔が形成され、前記弾性支持部の先端は前記電線に押圧接触する弾性接触片が形成されていることにより、接続端子の小型化、薄型化が図れると共に電線との接触の安定化が図れるものである。しかも、ベース部に固定接続用のねじ孔を備えているから電線接続に電線固着ねいしか備えていない機器にはそのねじを利用して取付けることができる。尚且つ端子全体を機器類に強固に固定することができるので、接続端子の貫通孔に電線の先端のむき出し部分を挿通したときに電線の固定が確実にできる。その上電線のむき出し状態で差し込むのみで電線を強固に接続できるから電線の固定ねじが不要であるので作業が楽である。特に、コンセントなどの狭い箇所の電線の接続にも差し込むのみで強固に接続することが出来る。
【００１３】
また、請求項２に記載の接続端子によれば、端部に固定接続用のねじ孔を備えた平板状のベース部と、前記ベース部より略直角に折り返し曲げられた折り返し部と、前記折り返し部より先端が前記ベース部に当接するように曲げられた弾性支持部と、からなり、前記ベース部には前記電線のガイド溝が形成され、前記折り返し部には電線の貫通孔が形成され、前記弾性支持部の先端は前記電線に押圧接触する弾性接触片が形成されていることにより、請求項１と同様な効果を奏すると共に、電線がガイド溝に沿って位置ずれせずにスムースに挿入できるのである。
【００１４】
また、請求項３に記載の接続端子によれば、端部に固定接続用のねじ孔を備えた平板状のベース部と、前記ベース部より略直角に折り返し曲げられた折り返し部と、前記折り返し部より先端が前記ベース部に当接するように曲げられた弾性支持部と、からなり、前記ベース部には前記電線のガイド溝が形成され、前記折り返し部には電線の貫通孔が形成され、前記弾性支持部の先端は前記電線に押圧接触する弾性接触片が形成され、電気機器の電線固着ねじによって固定接続されていることにより、請求項１と同様な効果を奏すると共に、電線が挿入凹部により一層スムースに挿入できるものである。しかも、電線固定部のねじを利用して機器に固定接続した接続端子の貫通孔にむき出し電線の先端を挿通するという簡易な作業により、電線を接続することができ、煩雑な電線固定作業が無くなる。
【００１５】
また、請求項４に記載の接続端子によれば、端部に固定接続用のねじ孔を備えた平板状のベース部と、前記ベース部より略直角に折り返し曲げられた折り返し部と、前記折り返し部より先端が前記ベース部に当接するように曲げられた弾性支持部と、からなり、前記ベース部には前記電線のガイド溝が形成され、前記折り返し部には電線の貫通孔が形成され、前記弾性支持部の先端は前記電線に押圧接触する弾性接触片が形成されると共に前記電線の挿入凹部が形成され、前記電線のガイド溝は前記ベース部の表側に形成された２本のリブであり、前記弾性接触片の先端部は上方に折り曲げられていることにより、請求項１や請求項２，３と同様に電線をねじで固定接続する機器において、電線の先端のむき出し部分を貫通孔に電線を挿入するだけで電線の接続ができるという効果を奏すると共に、リブにより電線のスムーズな挿入が図れ、リブとの多点による安定した接触が図れるものである。
【００１６】
さらに、請求項５に記載の接続端子によれば、厚さ０．６ｍｍのリン青銅の材料から形成された平板状のベース部と、前記ベース部より略直角に折り返し曲げられ高さが４．３ｍｍに形成された折り返し部と、前記折り返し部より先端が前記ベース部に当接するように曲げられ長さが９ｍｍに形成された弾性支持部と、からなり、前記ベース部には前記電線のガイド溝が形成され、前記折り返し部には電線の貫通孔が形成され、前記弾性支持部の先端は前記電線に押圧接触する弾性接触片が形成されると共に深さが０．８ｍｍの挿入凹部が形成され、前記電線のガイド溝は前記ベース部の表側に形成された高さが０．４ｍｍの２本のリブであり、前記弾性接触片の先端部は上方に折り曲げられていることにより、請求項１乃至背急項と同様な効果を奏することは勿論のこと、最も効果の発揮できる寸法値にしたので、一層効果を高めるものである。特に、電線をねじで固定接続する構造になっている機器において本考案の接続端子を機器類に取り付け、固定接続できるので、電線の接続するときにねじを必要とせず接続することができ、また、リブによって接続端子が移動することがない。そのために電線の挿入時に簡易に確実に挿入することができる。接続端子が機器に固定してあるから電線の接続作業が簡易である。従って、電線をねじで接続する構造となっている機器では優れた効果を発揮する。
【考案を実施するための最良の形態】
【００１７】
本考案に係る接続端子の形態について図面を参照して説明する。
図１は本考案に係る接続端子を示す斜視図、図２図１の接続端子に電線を挿入した状態を示す断面図、図３は図２のＸ−Ｘ断面図、図４は図１の接続端子を後方より見た側面図、図５は図４のＹ−Ｙ断面図である。図６は本考案の接続端子を説明する斜視図である。
【００１８】
本考案に係る接続端子Ａは、図１乃至図３に示すように、端部に固定接続用のねじ孔８を備えた平板状のベース部１と、このベース部１より略直角に折り返し曲げられた折り返し部２と、この折り返し部２より先端が前記ベース部１に当接するように曲げられた弾性支持部３と、からなっている。また、折り返し部２には電線１０の貫通孔５が形成され、前記弾性支持部３の先端は電線１０の芯線１１に押圧接触する弾性接触片４が形成されている。このような構成であるから電線をねじで固定接続する構造となっている電気機器において、電線固着部に容易に接続端子を固定することができる。
【００１９】
この接続端子Ａは、リン青銅のような導電性が良好で弾性を備える金属材料から所定の形状に加工したもので、実施例においては、板厚０．６ｍｍのリン青銅板を使用している。さらに、この接続端子は、電線１０との接続状態において、表面の接触状態を良くするため、導電性が良好であり、錆にくいとされるスズメッキやニッケルメッキを表面に施すものである。
【００２０】
また、この接続端子Ａのベース部１には電線１０の挿入時に芯線１１をガイドするためのガイド溝６が設けられている。このガイド溝６はベース部１に形成された２本のリブ１ａ，１ａにより構成されるもので、このリブ１ａは半径０．８ｍｍの円弧で形成され、ベース部１の上面よりの高さは０．４ｍｍに形成されている。さらに、このリブ１ａ，１ａの間隔は、図５に示すように、平行部分で１．５ｍｍに形成されているが、芯線１１の入口側では２．５ｍｍと広く形成されている。この２本のリブ１ａ，１ａにより、芯線１１が入口側で中心線からずれて挿入されても、挿入されるにつれて中心側に矯正されるものである。
【００２１】
このベース部１の折り返し部２と反対側の端部にはこの接続端子Ａを固定接続するためのねじ孔８が穿ってあり、この接続端子Ａは固定ねじによって機器に固定接続されるようになっている。特に、電線をねじで固定接続する構造の機器類においては簡易に接続端子を固定することができ、煩雑の作業をすることなしにむき出しの電線の先端を接続端子の貫通孔５に挿入するだけで電線を固着する。
また、このベース部１より略直角に折り返し曲げられた折り返し部２は、ベース部１の底面よりの高さが４．３ｍｍに形成されている。この折り返し部２の根元には、図４に示すように、電線１０の芯線１１を挿入するに直径２．２ｍｍの貫通孔５が設けられている。
【００２２】
さらに、この折り返し部２より先端がベース部１に当接するように曲げられた弾性支持部３は、図２に示すように、先端までの長さが９ｍｍに形成され、先端部４ａが上方に折り曲げられ、弾性接触片４を形成している。この弾性接触片４の下面には、図３に示すように、半径４．５ｍｍでガイド凹部７が形成されており、電線１０の芯線１１と接触面積が広く接触状態が安定するように凹面４ｂで接触するようになっている。また、このガイド凹部７は、前述のガイド溝６と共に電線１０の芯線１１をガイドするようにもなっている。
【００２３】
このように構成されたガイド溝６とガイド凹部７は、電線１０の挿入時に芯線１１が中心線よりずれたとしても、そのまま挿入すると、図３に示すように、ガイド溝６とガイド凹部７により挿入されるにつれて中心側に矯正されるものである。従って、電線１０の挿入時においては、気を遣うことなしに正確な挿入作業ができるものである。  
【００２４】
上述のように構成された接続端子Ａは、弾性接触片４により、適正な弾性により電線１０の芯線１１をベース部１に当接するように押圧するので、接続端子Ａと電線１０は安定した接触が保たれるものである。そして、図２に示すように、弾性接触片４と芯線１１は長い凹面４ｂで接触するようになっており、安定した接触が保たれるようになっている。さらに、図３に示すように、芯線１１とベース部１は、底面と両側のリブ１ａ，１ａによる多点で接触しているので、非常に安定した接触が保たれるようになっている。
【００２５】
図６（ａ）は電線をねじで固定接続した構造のコンセントの斜視図であり、図６（ｂ）はコンセントに本考案接続端子を固着した状態を示す実施形態の図面である。
尚、本考案の接続端子は上述した実施の形態に限定されるものではなく、実用新案登録請求の範囲内で様々な態様が可能なことは勿論である。例えば、接続端子の材料、大きさ寸法或いは表面処理などの条件は適宜変更が可能なことは勿論である。また、ガイドリブの高さや長さについても適宜変更が可能なことは勿論である。さらに、折り返し角度などについても適宜変更が可能なことは勿論である。    
【図面の簡単な説明】
【００２６】
【図１】本考案に係る接続端子を示す斜視図である。
【図２】図１の接続端子に電線を挿入した状態を示す断面図である。
【図３】図２のＸ−Ｘ断面図である。
【図４】図１の接続端子を後方より見た側面図である。
【図５】図４のＹ−Ｙ断面図である。
【図６】本考案接続端子を説明する図面で、（ａ）  電線をねじで接続する構造のコンセントの斜視図。（ｂ）  本考案の接続端子を固定したコンセントの実施の形態の説明図である。
【符号の説明】
【００２７】
Ａ      接続端子
１      ベース部
１ａ    ガイドリブ
２      折り返し部
３      弾性支持部
４      弾性接触片
４ａ    先端部
４ｂ    凹面
５      貫通孔
６      溝部
７      ガイド凹部
８      ねじ孔
１０      電線
１１      芯線
【図１】
0003113675.tif 000003
【図２】
0003113675.tif 000004
【図３】
0003113675.tif 000005
【図４】
0003113675.tif 000006
【図５】
0003113675.tif 000007
【図６】
0003113675.tif 000008